(57)【要約】  【課題】  モータの駆動力による脚上げに対して迅速に脚上げできるようにすることである。  【手段】  モータ４２の駆動力によってリンクＡ４０を回転させて脚ボトム２を起伏する機構とは別に手動により操作する操作レバー３２に連結ロッド３１を介して連結するリンクＢ３０を設けて、リンクＢの回転により脚ボトム２を起上するようにしている。【選択図】              図２
2010000214.tif 000002
【特許請求の範囲】
【請求項１】
ベッドフレーム側の軸に回転自在に軸着するリンクＡをモータの駆動力によって回転させてベッドフレーム上に載置する脚ボトムを起伏するベッドの脚上げ機構であって、
前記リンクＡと別にリンクＢを回転自在に前記軸に軸着し、このリンクＢの基端にベッドフレームの後方に向けて配設した連結ロッドを連結し、該連結ロッドの一端をベッドフレーム側に回動自在に軸着した操作レバーに連結し、前記リンクＢの先端が脚ボトムの起立時に脚ボトム側にロックするロック手段をリンクＢと脚ボトムに設けてなるベッドの脚上げ機構。
【請求項２】
前記ロック手段はリンクＢの先端に設けたカラーと、このカラーが係合する脚ボトムに設けた切欠である前記請求項１記載のベッドの脚上げ機構。
【発明の詳細な説明】
【技術分野】
【０００１】
本発明は透析用、介護用などのベッドの脚上げ機構に関する。
【０００２】
従来のこの種のベッドはむくみやだるさを解消するため、或いはオムツ替えのために腰を高くするため、又は上体を起こした姿勢をとるため、腰の下方のずれを防止するため…等の理由で、使用者の脚部を上げる脚上げ機構を備えたものがある。
【０００３】
これは使用者の負担を軽減させるために、電動でゆっくりした動きで脚部を上げるように構成されている（例えば特開２００４−５７２１８号公報参照）。
【０００４】
【特許文献１】特開２００４−５７２１８号公報
【発明の開示】
【発明が解決しようとする課題】
【０００５】
ところで、例えば脚を骨折した患者は、即時に脚上げが要求される場合がある。このように、迅速に脚上げをする必要がある場合には、従来のモータの駆動力による脚上げはそのスピードが遅く、患者の要望に対応できない不具合がある。
【０００６】
そこで、本発明は従来通りモータの駆動力によってゆっくり脚上げができ、しかも、緊急時には即時に脚上げができるようにすることを目的とする。
【０００７】
以上の目的を達成するための本発明に係るベッドの脚上げ機構は、ベッドフレーム側の軸に回転自在に軸着するリンクＡをモータの駆動力によって回転させてベッドフレーム上に載置する脚ボトムを起伏するベッドの脚上げ機構であって、前記リンクＡと別にリンクＢを回転自在に前記軸に軸着し、リンクＢの基端にベッドフレームの後方に向けて配設した連結ロッドを連結し、該連結ロッドの一端をベッドフレーム側に回動自在に軸着した操作レバーに連結し、前記リンクＢの先端が脚ボトムの起立時に脚ボトム側にロックするロック手段をリンクＢと脚ボトムに設けてなる構成である。
【０００８】
前記ロック手段はリンクＢの先端に設けたカラーと、このカラーが係合する脚ボトムに設けた切欠であることが好ましい。
【発明の効果】
【０００９】
本発明によれば、操作レバーを手動で操作することにより瞬時に脚ボトムを起上できるため、迅速に脚上げを行うことができ、患者の要望に対応できる。更に、従来のベッドに簡単にリンクＢ、操作レバー、連結ロッドからなる手動起伏機構を設けることができる。
【００１０】
また、リンクＢの先端に設けたカラーを脚ボトムの切欠に係合させることにより、脚ボトムによる脚上げ状態が保持されるため、簡単な構造で低原価で提供てぎる。
【発明を実施するための最良の形態】
【００１１】
以下、本発明はの一実施例を図面に基づいて説明する。
図１は脚上げ前の状態である脚ボトム２を平坦にした状態を示し、図中１はベッドフレームで、図示するＦはヘッドボード方向、Ｒはフットボード方向を示し、このベッドフレーム１に脚ボトム２の前端がブラケット１３によって回動可能に連結されている。なお、図中１１はベッドフレーム１の後端に設けた取付ブラケット、１２はレッグを各々示す。
【００１２】
脚ボトム２は前部脚ボトム２と、この前部脚ボトム２に連結材２３を介して回動可能に連結されている後ボトム２２とから構成され、この脚ボトム２は前記ベッドフレーム１上に載置されている。
【００１３】
なお、後部脚ボトム５０の後端はアーム５０によってベッドフレーム１に回動可能に連結され、脚ボトム２上にマットレスが載置される。
【００１４】
以上のベッドフレーム１には軸１０が横架され、この軸１０には、図３に示すように、従来周知の構造の脚上げ用のリンクＡが回転自在に軸着され、このリンクＡの基端に、モータ４２の駆動により伸縮するロッド４２が連結され、モータ４２の駆動力により前記脚ボトム２が起伏する。
【００１５】
従って、モータ４２の駆動力によってロッド４１を伸長させると、リンクＡ４０は回転する。これにより、リンクＡ４０の先端に設けたローラによって前部脚ボトム２１をブラケット１３に対する取付位置を回転中心に起上して、患者の脚部を利用状態に応じた曲げ角度に保持することができる。
【００１６】
そして、このモータ４２による前部脚ボトム２１の最高位置を図２の鎖線で示す。なお、後部脚ボトム２２も前部脚ボトム２１に連結されているため、前部脚ボトム２１の起上に連動して起上する。
【００１７】
一方、前記軸１０にはリンクＡ４０とは別のリンクＢ３０の略中央が回転自在に軸着され、このリンクＢ３０の先端にロック手段たるカラー３０Ａを有し、基端にベッドフレーム１の後方に向けて配設した連結ロッド３１が連結されている。
【００１８】
図示するロック手段は前記カラー３０Ａと、モータ４２の駆動力によって前部脚ボトム２１が前記最高位置に対して低い位置でカラー３０Ａが係合する前部脚ボトム２１の底面側に設けた切欠２１Ａとから構成されている。
【００１９】
前記連結ロッド３１の一端には、前記取付ブラケット１１にピン３２Ａで回動自在に軸着した略Ｌ字状の操作レバー３２の基端が連結されている。なお、操作レバー３２はベッドフレーム１に設けたストッパ(不図示)により図１矢印方向の回動が一定に規制されている。
【００２０】
従って、操作レバー３２を図１矢印方向に手動で押し下げると、連結ロッド３１が引かれ、リンクＢが軸１０を回転中心に回転するため、リンクＢ３０の先端に有するカラー３０Ａが前部脚ボトム２１の底面を転動して脚ボトム２１を押し上げる。
【００２１】
そして、カラー３０Ａが前部ボトム２１の切欠２１Ａに係合すると、それ以上の前部脚ボトム２１の押し上げは中止される。
【００２２】
この状態を図２に示し、前記モータ４２の駆動力によって前部脚ボトム２１を起上した最高位置（鎖線で示す位置）に対して低い位置になる。
【００２３】
そして、この状態においてリンクＢ３０はカラー３０Ａが切欠２１Ａに係合し、軸１０に、また、連結ロッド３１が連結する操作レバー３２が取付ブラケット１１に各々軸着されているため、リンクＢ３０による脚上げ状態を保持できる。
【００２４】
次に、モータ４２を駆動させてリンクＡ４０を回転させてリンクＡ４０の先端で、リンクＢ３０に対する脚上げ角度以上に、例えば図２鎖線に示すように前部脚ボトム２１を最高位置まで押し上げると、リンクＢ３０のカラー３０Ａは切欠２１Ａより脱落してロックが解除され、リンクＢ３０は重力で、初期の前部脚ボトム２１の平坦状態に戻る。
【００２５】
次に、モータ４２の駆動力によってロッド４１を収縮させると、リンクＡ４０が逆方向に回転するため、図１の状態に戻る。
【００２６】
従って、患者の脚を迅速に高くする必要がある場合には、手動で操作レバー３２を押し下げれば、モータ４２による場合に対して、迅速に脚上げ動作が可能となる。
【００２７】
なお、図示するものは切欠２１ＡにリンクＢ３０のカラー３０Ａが係合することにより、リンクＢ３０のロックをする構造であるが、回転角度（例えば９０度以上）のリンクＢを採用することにより、操作レバー３２の操作によってリンクＢの上端部が軸１０に対して真上より前方位置に回動するため、そのリンクＢは前部脚ボトム２１に対して、突っ張り棒の作用をなし、前部脚ボトム２１をロックすることが可能となり、前記ロック手段が不要となる。
【図面の簡単な説明】
【００２８】
【図１】脚上げ前の状態の要部の側面図である。
【図２】脚上げ状態の要部の側面図である。
【図３】要部の部分斜視図である。
【符号の説明】
【００２９】
１…  ベッドフレーム、１０…軸、  ２…脚ボトム、２１Ａ…切欠、３０…リンクＢ、３０Ａ…カラー、３１…連結ロッド、３２…操作レバー、４０…リンクＡ、４２…モータ
【図１】
2010000214.tif 000003
【図２】
2010000214.tif 000004
【図３】
2010000214.tif 000005
【手続補正書】
【提出日】平成20年6月26日(2008.6.26)
【手続補正１】
【補正対象書類名】図面
【補正対象項目名】図１
【補正方法】変更
【補正の内容】
【図１】
2010000214.tif 000006
【手続補正２】
【補正対象書類名】図面
【補正対象項目名】図２
【補正方法】変更
【補正の内容】
【図２】
2010000214.tif 000007
【手続補正３】
【補正対象書類名】図面
【補正対象項目名】図３
【補正方法】変更
【補正の内容】
【図３】
2010000214.tif 000008